(57)【要約】【課題】太陽光に比較して照射強度が小さいＵＶランプを用いて昼間でも農薬に代わって昼行性害虫を防除することができる捕虫装置を提供する。【解決手段】昼行性害虫に対する気流を発生させる気流発生機２と、昼光性害虫を誘引する光を照射するランプ３とを有する捕虫装置１であって、昼行性害虫に熱気流を噴射する気流加熱手段５を備える。昼行性害虫が嫌がる熱気流を吹き付けることで葉陰に隠れた害虫をおびき出すことができ、紫外線による誘引を効果的に行うことができる。【選択図】図１
2007209266.tif 000002
【特許請求の範囲】
【請求項１】
昼行性害虫に対する気流を発生させる気流発生機と、昼光性害虫を誘引する光を照射するランプとを有する捕虫装置であって、昼行性害虫に熱気流を噴射する気流加熱手段を備えることを特徴とする捕虫装置。
【請求項２】
昼行性害虫に対する気流を発生させる気流発生機と、昼光性害虫を誘引する光を照射するランプとを有する捕虫装置であって、前記昼光性害虫をとらえる水盤を気流の気流噴射口に対向して設け、前記ランプは前記水盤に臨んで設けられることを特徴とする捕虫装置。
【請求項３】
前記気流発生機又は気流噴射口を複数個配設してなることを特徴とする請求項１又は２に記載の捕虫装置。
【発明の詳細な説明】
【技術分野】
【０００１】
本発明は害虫を捕虫する捕虫装置に関し、より詳細には、気流と光照射とを組み合わせて捕虫する捕虫装置に関するものである。
【背景技術】
【０００２】
従来、野菜等の害虫防除方法として、各種農薬からなる殺虫剤を使用するのが一般的である。しかしながら、野菜の種類によっては付着する害虫に対して有効な農薬が少ない場合があると共に、薬剤抵抗性のある難防除害虫に対しては農薬による殺虫効果が低い。また、近時、消費者の安全・健康志向から残留農薬が問題となり、無農薬・減農薬栽培に対する要望が強くなってきている。
【０００３】
農薬を用いずに害虫を駆除する方法としては、天敵による駆除や交尾阻害剤（フェロモン剤）を使用する方法等があるが、これらを単独で用いても防除効果が農薬と比較しては低く、農薬と併用せざるを得ない問題がある。
【０００４】
そこで、近時、農薬を用いずに物理的方法により捕獲・駆除する害虫駆除装置が提案され始めている。その１つとして、紫外線捕虫装置がある（例えば、特許文献１）。これは虫が紫外線に強く誘引される性質を利用して、ＵＶランプにより虫を誘引し、粘着板や水盤、吸引ファン等で虫を捕殺するものである。また、特許文献２のように、吸引式の捕虫装置において吸引ポンプの排気を植物体に吹き出させて、害虫を吹き飛ばして吸引するようにしたものがある。
【特許文献１】特開２００１−２３１４２４号公報
【特許文献２】実開平５−３４８７７号公報
【発明の開示】
【発明が解決しようとする課題】
【０００５】
特許文献１のような紫外線捕虫装置は、夜間であれば広範囲の害虫を誘引することができ、実用上十分な捕虫効果を得ることができる。しかし昼間は太陽光に比較するとＵＶランプの照射強度が小さすぎるため、ごく近傍の害虫にしか誘引効果を及ぼすことができない。このため、昼行性の難防除害虫であるアザミウマ類、ハモグリバエ類、コナジラミ類には、紫外線捕虫装置は有効な防除装置たりえなかった。
【０００６】
また、特許文献２のように、排気により昆虫を吹き飛ばして吸引する捕虫装置では、葉裏などで排気が十分な強さをもってあたらない部位にいる昆虫には、十分な捕虫効果を得られないことがあった。
【０００７】
本願発明は、上記背景技術に鑑みてなされたものであり、その目的は、農薬に代わる昼行性害虫を防除することができる捕虫装置を提供するものである。
【課題を解決するための手段】
【０００８】
請求項１に記載された発明に係る捕虫装置は、上記課題を解決するために、昼行性害虫に対する気流を発生させる気流発生機と、昼光性害虫を誘引する光を照射するランプとを有する捕虫装置であって、昼行性害虫に熱気流を噴射する気流加熱手段を備えることを特徴とする。
【０００９】
また請求項２に記載された発明に係る捕虫装置は、昼行性害虫に対する気流を発生させる気流発生機と、昼光性害虫を誘引する光を照射するランプとを有する捕虫装置であって、前記昼光性害虫をとらえる水盤を気流の噴射口に対向して設け、前記ランプは前記水盤に臨んで設けられることを特徴とする。
【００１０】
また請求項３に記載された発明に係る捕虫装置は、請求項１又は２に記載の捕虫装置において、前記気流発生機又は気流噴射口を複数個配設してなることを特徴とする。
【発明の効果】
【００１１】
請求項１に記載された発明に係る捕虫装置によれば、昼行性害虫が嫌がる熱気流を吹き付けることで葉陰に隠れた害虫をおびき出すことができ、紫外線による誘引を効果的に行うことができる。
【００１２】
請求項２に記載された発明に係る捕虫装置によれば、植物に風を吹き付けることができるので、害虫を葉陰から追い出すとともに、水盤で反射された誘引光に害虫が誘引されるので捕虫効果が向上する。誘引側に吸引機を導入する必要がないのでコストを抑制することができる。
【００１３】
請求項３に記載された発明に係る捕虫装置によれば、植物の高さに合わせて気流を噴出できるので、一つの装置で複数種の植物の害虫除去に対応できる。
【発明を実施するための最良の形態】
【００１４】
次に、本発明の最良の形態を図面に基づいて詳細に説明する。図１は、本発明に係る捕虫装置の第１の実施の形態を示す側面図である。本実施の形態に係る捕虫装置１は、気流を発生させてそれを昼行性害虫に吹き付ける気流発生機２と、昼光性害虫を誘引する光を照射するランプ３を有する。
【００１５】
気流発生機２は、噴出空気を発生する送風機４から構成し、熱気流を噴射する気流加熱手段はヒーター５で構成している。送風機４は機台７に設置され、送風機４の前段からは吸引ダクト８が差し出され、吸引ダクト８の先端には側方に向けてフード９が取り付けられ、フード９の吸引口１０にはネット１１が張設されている。
【００１６】
ランプ３は略３６０ｎｍにピークを持つ分光分布を示す紫外線蛍光ランプが用いられ、フード９内部に配置されている。また、フード９又は機台７は植物の高さにあわせて高さを調節する図示していない機構を備えている。
【００１７】
送風機４はモーター１２によって駆動され、吸引側に形成された吸引室４１には吸引された害虫や菌を備蓄する布袋が着脱可能に取り付けられている。送風機４の排気側からは送風パイプ４２が差し出されており、送風パイプ４２には、フード９と植物を挟んで対面する方向に向いた気流噴射口６が設けられている。そして、送風パイプ４２先端には、送風パイプ４２から噴射される気流を加熱するためのヒーター５が設けられている。
【００１８】
送風機４は、機台７に設けられたローラー１４を介して、地面Ｇ上に配置されているレール１５に沿って移動可能に取り付けられている。ヒーター５は、噴出空気を４０℃以上に加熱できるように構成されている。この温度は４０℃以上が望ましく、より望ましくは５０〜６０℃である。加熱の方法は電熱式、輻射式等、その方式、名称等を問わず、適宜使用することができる。
【００１９】
上記のように構成された捕虫装置において、送風機４と連通したフード９の吸引口１０をファームに植えられている植物Ｐに接近せしめ、送風機４をローラー１４を介してレール１５上をゆっくり移動させる。そして、モーター１２を駆動して送風機４を作動させると送風機４の排気側からの気流が、パイプ４２先端のヒーター５により熱せられた後、送風パイプ４２の気流噴射口６から植物に向かって吹き出される。すると、植物に付着している害虫は衝撃や熱を嫌って飛翔する、それにより、その風圧によってフード９方向へ吹き飛ばされる。吹き飛ばされた虫は、フード９に吸引されるか、定位位置を探す過程で誘引光源である紫外線蛍光ランプ３に誘引され、フード９の吸引口１０から吸引ダクト８を経て吸引室４１に吸引され、吸引室４１に取り付けられている布袋１３内に収納・備蓄される。布袋１３内に害虫が一杯になったら、布袋１３を新しいものに取り替える。
【００２０】
本実施の形態では、捕虫装置１はレール１５上を走行する台車の形態を持つが、畝に沿って空中に設置された走査ガイドに懸垂し、走査ガイドに沿って移動する形態でもよい。また、これらの軌道はなくてもよい。また、ランプ３として紫外線を照射する蛍光ランプを使用しているが、略３６０ｎｍ付近にピークがある分光特性を持つ光源であればよく、たとえばＬＥＤ、高電圧放電灯などの他の光源でもかまわない。また、ランプを吸気されてくる虫と直接接触しないように照射部材を用い、ランプと照射部材とをガラスファイバーなどで連通させて照射部材から光を照射し、照射部材に向かって害虫が飛翔するようにしてもよい。また、送風機４で吹き付ける気流を発生させているが、それとは別に、吹き付け気流を発生させる手段を設けてもよい。また、気流噴出口６は複数個設置して、適用する植物に合わせたり、吹き付ける気流条件を変えるようにしてもよい。
【００２１】
図２は本発明の捕虫装置に係る第２の実施の形態の概略構成を示す側面図、図３はその構成の気流発生機の１例を示す断面図である。この実施の形態に係る捕虫装置は虫を捕集するのに水盤を備えた点で、上記実施の形態と大きく相違するが、同様な作用をする部分については同一の符号を付して詳細な説明を省略する。
【００２２】
捕虫装置１ａは、気流を発生させる気流発生機２ａと、昼光性害虫を誘引する光を照射するランプ３と、気流を昼行性害虫に吹き付ける噴射口２４と、昼光性害虫をとらえる水盤１６とを有している。水盤１６は植物Ｐを挟んで気流の噴射口６に対向して配置されている。
【００２３】
気流発生機２ａは、図３に示すように、筐体２０内部にモーター２１、ファン２２、ヒーター２３を備えて構成し、この例では３つが上下に配置されて用いられている。３つの気流発生機２ａは、畝に沿って配設された走査ガイド１７に懸垂され、走査ガイド１７に沿って移動できる。そして、モーター２１でファン２２を回転させて気流を発生させ、噴射口２４付近に配置したヒーター２３によって気流をあたためた後、植物に向かって吹き出す。
【００２４】
水盤１６は水溶液を容れる水槽であり、架台１８に設置され、内部には界面活性剤を含んだ水が張られ、水盤１６上には紫外線を照射するランプ３が設置されている。架台１８は、ローラー１４が設けられ、ローラー１４を介して、地面Ｇ上に配置されているレール１５に沿って移動可能に取り付けられている。
【００２５】
本実施の形態では、複数の気流発生機２ａを上下方向に３連装しているため、植物Ｐの上部から下部にわたって一様に気流を噴射できる。３つの気流発生機２ａは、走査ガイド１７に懸垂され、走査ガイド１７に沿って移動できる。また水盤１６を載せた架台１８は、畝間に設置されたレール１５上を移動できる。気流発生機２ａと水盤１６とは図示していない連結部を通じて繋がっており、一方を移動させることで他方も同様に移動する。
【００２６】
ファン２２を回転させて発生させた気流は、噴射口２４付近のヒーターによってあたためられ、植物に向かって吹き付けられる。植物に付着している害虫は、この気流による衝撃や熱を嫌って飛翔することになり、気流の風圧によって水盤方向へ吹き飛ばされる。吹き飛ばされた虫は、直接、あるいは紫外線蛍光ランプに誘引されるか、下方からの紫外線によって上下感覚を攪乱されるかして、結果として水盤に落下して捕殺される。水盤に害虫が一杯になったら、水を交換する。
【００２７】
本実施の形態では、捕虫装置は空中に設置された走査ガイドに懸垂し、走査ガイドに沿って移動する形態で説明したが、畝に沿ってレール上を走行する台車の形態でもよい。また、各気流発生機はヒーターを備えているが、ヒーターはなくてもよい。
【図面の簡単な説明】
【００２８】
【図１】本発明に係る捕虫装置の第１の実施の形態の概略構成を示す一部破断した側面図である。
【図２】本発明に係る捕虫装置の第２の実施の形態の概略構成を示す側面図である。
【図３】本発明に係る捕虫装置を構成する気流発生機の断面図である。
【符号の説明】
【００２９】
１、１ａ  捕虫装置
２、２ａ  気流発生機
３  ランプ
４  送風機
５  ヒーター
６  噴射口
１６  水盤
２２  ファン
２３  ヒーター
２４  噴射口
【図１】
2007209266.tif 000003
【図２】
2007209266.tif 000004
【図３】
2007209266.tif 000005